(57)【要約】【課題】取得するＷｅｂページの情報を的確に判定することができる通信端末及び通信端末の制御方法を提供することを目的とする。【解決手段】ドメイン名を含むＵＲＬに対応するＷｅｂページを取得する取得部と、取得部が取得したＷｅｂページの少なくとも一部を表示する表示部と、取得部が取得したＷｅｂページに含まれるリンク情報に、取得部が取得したＷｅｂページに対応するＵＲＬのドメイン名とは異なるドメイン名を含むＵＲＬに対応するＷｅｂページを取得するための特定リンク情報が含まれることを検出した場合に、通知動作を行う制御部と、を備えることで上記課題を解決する。【選択図】図１
2011193280.tif 000002
【特許請求の範囲】
【請求項１】
ドメイン名を含むＵＲＬに対応するＷｅｂページを取得する取得部と、
前記取得部が取得した前記Ｗｅｂページの少なくとも一部を表示する表示部と、
前記取得部が取得した前記Ｗｅｂページに含まれるリンク情報に、前記取得部が取得した前記Ｗｅｂページに対応するＵＲＬのドメイン名とは異なるドメイン名を含むＵＲＬに対応するＷｅｂページを取得するための特定リンク情報が含まれることを検出した場合に、通知動作を行う制御部と、
を備えることを特徴とする通信端末。
【請求項２】
前記制御部は、前記取得部が取得した前記Ｗｅｂページのうち、前記表示部に表示されたＷｅｂページに含まれるリンク情報に、前記特定リンク情報が含まれることを検出した場合に、前記通知動作を行うことを特徴とする請求項１に記載の通信端末。
【請求項３】
前記制御部は、前記通知動作として、前記表示部に設定されたメッセージまたは画像を表示させることを特徴とする請求項１または２に記載の通信端末。
【請求項４】
操作部をさらに有し、
前記制御部は、前記リンク情報のうち前記操作部の操作により選択された選択リンク情報が、前記特定リンク情報であることを検出した場合に、前記通知動作を行うことを特徴とする請求項１から３のいずれか１項に記載の通信端末。
【請求項５】
前記操作部は、発光する発光キーを備え、
前記制御部は、前記通知動作として、前記発光キーの発光状態を変化させることを特徴とする請求項４に記載の通信端末。
【請求項６】
前記発光キーは、前記選択リンク情報に基づいてＷｅｂページを取得するためのキーであることを特徴とする請求項５に記載の通信端末。
【請求項７】
前記制御部は、前記選択リンク情報に基づいて取得するＷｅｂページに対応するＵＲＬのドメイン名が、前記取得部が取得した前記Ｗｅｂページに対応するＵＲＬのドメイン名と同一のドメイン名である場合に、前記選択リンク情報に基づいて取得するＷｅｂページに対応するＵＲＬに含まれるパスと前記取得部が取得した前記Ｗｅｂページに対応するＵＲＬに含まれるパスの予め設定した区間が一致するか否かで前記発光キーの発光状態を変化させることを特徴とする請求項６に記載の通信端末。
【請求項８】
前記制御部は、前記取得部が取得した前記Ｗｅｂページの情報に含まれるＨＴＭＬタグを用いて、前記リンク情報に基づいて取得するＷｅｂページに対応するＵＲＬのドメイン名と前記取得部が取得した前記Ｗｅｂページに対応するＵＲＬのドメイン名との比較を行い、前記特定リンク情報が含まれるか否かを検出することを特徴とする請求項１から７のいずれか１項に記載の通信端末。
【請求項９】
ドメイン名を含むＵＲＬに対応するＷｅｂページを取得する取得ステップと、
取得した前記Ｗｅｂページの少なくとも一部を表示させる表示ステップと、
取得した前記Ｗｅｂページに含まれるリンク情報に、取得した前記Ｗｅｂページに対応するＵＲＬのドメイン名とは異なるドメイン名を含むＵＲＬに対応するＷｅｂページを取得するための特定リンク情報が含まれるかを検出する検出ステップと、
前記検出ステップで、前記特定リンク情報が含まれることを検出した場合に、通知動作を行う通知ステップと、を備えることを特徴とする通信端末の制御方法。
【発明の詳細な説明】
【技術分野】
【０００１】
本発明は、Ｗｅｂページの情報を取得し表示させる通信端末及び通信端末の制御方法に関する。
【背景技術】
【０００２】
携帯電話機や、ＰＤＡ等の通信端末は、Ｗｅｂページを取得するブラウザ機能を備えているものがある。また、Ｗｅｂページの閲覧を管理する機能を備える装置としては、特許文献１に、管理者や使用者の意図により受取側Ｗｅｂブラウザ単体で設定した特定ＵＲＬへのアクセス規制を行うブラウザ装置が記載されている。
【先行技術文献】
【特許文献】
【０００３】
【特許文献１】特開平１１−２０５３８０号公報
【発明の概要】
【発明が解決しようとする課題】
【０００４】
特許文献１のように、特定のＵＲＬへのアクセスに規制を行うことで、有害なサイトのＷｅｂページを閲覧することを抑制することができる。しかしながら、登録されていないＵＲＬであればＷｅｂページの取得が可能である。そのため、有害なサイトにアクセスできないようにするためには、登録者がアクセスを禁止する対象のＵＲＬを発見し、発見したＵＲＬを特定ＵＲＬとして登録をするという、煩雑な作業を定期的に行う必要がある。また、このように、随時登録を更新しても、日々新たなサイトが開設されるため、全有害サイトを登録することは、困難である。
【０００５】
本発明は、上記に鑑みてなされたものであって、取得するＷｅｂページの情報を的確に判定することができる通信端末及び通信端末の制御方法を提供することを目的とする。
【課題を解決するための手段】
【０００６】
上述した課題を解決し、目的を達成するために、本発明は、通信端末であって、ドメイン名を含むＵＲＬに対応するＷｅｂページを取得する取得部と、前記取得部が取得した前記Ｗｅｂページの少なくとも一部を表示する表示部と、前記取得部が取得した前記Ｗｅｂページに含まれるリンク情報に、前記取得部が取得した前記Ｗｅｂページに対応するＵＲＬのドメイン名とは異なるドメイン名を含むＵＲＬに対応するＷｅｂページを取得するための特定リンク情報が含まれることを検出した場合に、通知動作を行う制御部と、を備えることを特徴とする。
【０００７】
ここで、前記制御部は、前記取得部が取得した前記Ｗｅｂページのうち、前記表示部に表示されたＷｅｂページに含まれるリンク情報に、前記特定リンク情報が含まれることを検出した場合に、前記通知動作を行うことが好ましい。
【０００８】
また、前記制御部は、前記通知動作として、前記表示部に設定されたメッセージまたは画像を表示させることが好ましい。
【０００９】
また、操作部をさらに有し、前記制御部は、前記リンク情報のうち前記操作部の操作により選択された選択リンク情報が、前記特定リンク情報であることを検出した場合に、前記通知動作を行うことが好ましい。
【００１０】
また、前記操作部は、発光する発光キーを備え、前記制御部は、前記通知動作として、前記発光キーの発光状態を変化させることが好ましい。
【００１１】
また、前記発光キーは、前記選択リンク情報に基づいてＷｅｂページを取得するためのキーであることが好ましい。
【００１２】
また、前記制御部は、前記選択リンク情報に基づいて取得するＷｅｂページに対応するＵＲＬのドメイン名が、前記取得部が取得した前記Ｗｅｂページに対応するＵＲＬのドメイン名と同一のドメイン名である場合に、前記選択リンク情報に基づいて取得するＷｅｂページに対応するＵＲＬに含まれるパスと前記取得部が取得した前記Ｗｅｂページに対応するＵＲＬに含まれるパスの予め設定した区間が一致するか否かで前記発光キーの発光状態を変化させることが好ましい。
【００１３】
また、前記制御部は、前記取得部が取得した前記Ｗｅｂページの情報に含まれるＨＴＭＬタグを用いて、前記リンク情報に基づいて取得するＷｅｂページに対応するＵＲＬのドメイン名と前記取得部が取得した前記Ｗｅｂページに対応するＵＲＬのドメイン名との比較を行い、前記特定リンク情報が含まれるか否かを検出することが好ましい。
【００１４】
上述した課題を解決し、目的を達成するために、本発明は、通信端末の制御方法であって、ドメイン名を含むＵＲＬに対応するＷｅｂページを取得する取得ステップと、取得した前記Ｗｅｂページの少なくとも一部を表示させる表示ステップと、取得した前記Ｗｅｂページに含まれるリンク情報に、取得した前記Ｗｅｂページに対応するＵＲＬのドメイン名とは異なるドメイン名を含むＵＲＬに対応するＷｅｂページを取得するための特定リンク情報が含まれるかを検出する検出ステップと、前記検出ステップで、前記特定リンク情報が含まれることを検出した場合に、通知動作を行う通知ステップと、を備えることを特徴とする。
【発明の効果】
【００１５】
本発明にかかる通信端末及び通信端末の制御方法は、取得するＷｅｂページの情報を的確に判定することができるという効果を奏する。
【図面の簡単な説明】
【００１６】
【図１】図１は、本発明の通信端末の一例である携帯端末装置の外観を示す正面図である。
【図２】図２は、図１に示す携帯端末装置の機能の概略構成を示すブロック図である。
【図３−１】図３−１は、携帯端末装置の動作を説明するための説明図である。
【図３−２】図３−２は、携帯端末装置の動作を説明するための説明図である。
【図４−１】図４−１は、携帯端末装置の動作を説明するための説明図である。
【図４−２】図４−２は、携帯端末装置の動作を説明するための説明図である。
【図５】図５は、携帯端末装置の処理動作の一例を示すフロー図である。
【図６】図６は、携帯端末装置の処理動作の他の例を示すフロー図である。
【図７−１】図７−１は、携帯端末装置の動作を説明するための説明図である。
【図７−２】図７−２は、携帯端末装置の動作を説明するための説明図である。
【発明を実施するための形態】
【００１７】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯型の通信端末として携帯端末装置を例として説明するが、本発明の適用対象は携帯端末装置に限定されるものではない。例えば、携帯電話機、ＰＨＳ（Personal Handyphone System）、ＰＤＡ、ポータブルナビゲーション装置、ポータブルゲーム機等の携帯型や通信端末や、パーソナルコンピュータ、ゲーム機等の固定型の通信端末に対しても本発明は適用できる。
【００１８】
図１は、本発明の通信端末の一例である携帯端末装置の外観を示す正面図である。携帯端末装置１は、無線通信機能を備えた携帯電話機である。携帯端末装置１は、筐体１Ｃが第１筐体１ＣＡと第２筐体１ＣＢとで開閉可能に構成された、折り畳み式の携帯電話機である。なお、図１は、携帯端末装置１を開いた状態である。
【００１９】
第１筐体１ＣＡには、表示部として、図１に示すメインディスプレイ２Ｍが設けられる。メインディスプレイ２Ｍは、所定の画像として、携帯端末装置１が受信を待機している状態のときに待ち受け画面を表示したり、携帯端末装置１の操作を補助するために用いられるメニュー画面を表示したりする。また、図１に示すように、第１筐体１ＣＡには、携帯端末装置１の通話時に音声を発するレシーバ６が設けられている。
【００２０】
第２筐体１ＣＢには、通話相手の電話番号や、メール作成時等に文字を入力するための数字キー３ａが複数設けられ、また、メインディスプレイ２Ｍに表示されるメニューの選択、カーソルの移動方向を入力するための方向キー３ｂ、決定操作を入力するための決定キー３ｃ、各種アプリケーションの起動操作を入力するための機能キー３ｄが設けられている。数字キー３ａ、方向キー３ｂ、決定キー３ｃ及び機能キー３ｄは、携帯端末装置１の操作部２８（図２参照）を構成する。また、第２筐体１ＣＢには、携帯端末装置１の通話時に音声を受け取るマイク５が設けられている。
【００２１】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向に回動できるように構成される。第１筐体１ＣＡと第２筐体１ＣＢとが互いに遠ざかる方向に回動すると携帯端末装置１が開き、第１筐体１ＣＡと第２筐体１ＣＢとが互いに接近する方向に回動すると携帯端末装置１が閉じる。
【００２２】
次に、携帯端末装置１の機能と制御部との関係を説明する。図２は、図１に示す携帯端末装置の機能の概略構成を示すブロック図である。図２に示すように携帯端末装置１は、主制御部２２と、記憶部２４と、通信部２６と、操作部２８と、入力データ取得部２９と、音声処理部３０と、表示部３２と、表示制御部３３と、ブラウザ３６と、発光制御部３８と、を有する。
【００２３】
主制御部２２は、携帯端末装置１の全体的な動作を統括的に制御する処理部、例えばＣＰＵ（Central Processing Unit）である。すなわち、携帯端末装置１の各種の処理が、操作部２８の操作や携帯端末装置１の記憶部２４に保存されるソフトウェアに応じて適切な手順で実行されるように、通信部２６、表示部３２、ブラウザ３６、発光制御部３８等の動作を制御する。主制御部２２は、記憶部２４に保存されているプログラム（例えば、オペレーティングシステムプログラム、アプリケーションプログラム等）に基づいて処理を実行する。記憶部２４には、主制御部２２での処理に利用されるソフトウェアやデータが保存されている。具体的には、ブラウザ３６を制御するソフトウェアや、ブラウザ３６の処理により取得したＷｅｂページを表示部に表示させるソフトウェアや、発光制御部３８により操作部２８の発光動作を制御するソフトウェアや、ブラウザ３６による判定の基準となる設定条件のデータ、画像データ、音声データ等が保存されている。
【００２４】
通信部２６は、基地局によって割り当てられるチャネルを介し、基地局との間でＣＤＭＡ方式などによる無線信号回線を確立し、基地局との間で電話通信及び情報通信を行う。
【００２５】
操作部２８は、上述したように、数字キー３ａ、方向キー３ｂ、決定キー３ｃ、及び、機能キー３ｄとで構成され、これらのキーがユーザの操作により入力されると、その操作内容に対応する信号を発生させる。なお、機能キー３ｄは、例えば、カメラキー、電話帳キー、メールキー、Ｗｅｂキーなど、各種アプリケーションの起動動作を入力するためのキーであり、押下されることで、当該キーに対応付けられたアプリケーション（機能）を起動させる。操作部２８で発生した信号は、ユーザの指示として入力データ取得部２９へ入力される。入力データ取得部２９は、操作部２８から発生した信号と、入力の設定に基づいて、制御信号を生成し、生成した制御信号を主制御部２２に入力する。なお、本実施形態では、決定キー３ｃと機能キー３ｄの一部に発光機構が配置されている。決定キー３ｃと機能キー３ｄは、表面が半透明、または透明な材で形成され、内部に発光素子（ＬＥＤ等）が配置されている。
【００２６】
音声処理部３０は、マイク５に入力される音声信号やレシーバ６から出力される音声信号の処理を実行する。
【００２７】
表示部３２は、液晶ディスプレイ（ＬＣＤ、Liquid  Crystal  Display）や、有機ＥＬ（Organic Electro−Luminescence）パネルなどで構成された表示パネル（上述したメインディスプレイ２Ｍ等）を備え、主制御部２２から表示制御部３３を介して供給される映像データに応じた映像、画像データに応じた画像を表示パネルに表示させる。
【００２８】
ブラウザ３６は、主制御部２２による制御に基づいて、通信部２６を介してインターネット通信を行うことで、Ｗｅｂページを取得し、表示部３２に表示させる。より具体的には、ブラウザ３６は、ユーザの操作により取得が指示されたＵＲＬのＷｅｂページにアクセスしてページの情報を取得、または、キャッシュから呼び出してページの情報を取得し、Ｗｅｂページを画面に表示させる。なお、ＵＲＬは、リンク情報やお気に入りの項目の選択、または、直接入力されることで、特定される。
【００２９】
発光制御部３８は、操作部２８の一部の発光状態を制御する。具体的には、発光制御部３８は、決定キー３ｃ及び／または機能キー３ｄの一部に対応して配置された発光機構の動作を制御する。これにより、発光制御部３８は、決定キー３ｃを発光させたり、消灯させたり、点滅させたり、機能キー３ｄを発光させたり、消灯させたり、点滅させたりすることができる。なお、上記本実施形態では、主制御部２２と、ブラウザ３６、発光制御部３８等を別々に記載したが、一体としてもよい。
【００３０】
次に、携帯端末装置１の動作、具体的には、主制御部２２、ブラウザ３６、発光制御部３８における処理について説明する。ここで、図３−１及び図３−２は、それぞれ、携帯端末装置の動作を説明するための説明図である。また、図４−１及び図４−２も、携帯端末装置の動作を説明するための説明図である。なお、図３−１は、メインディスプレイ２Ｍに表示する画像の一例を示しており、図３−２は、図３−１に示す画像に対応するＨＴＭＬ文書を示している。ここで、携帯端末装置１の主制御部２２は、取得したＷｅｂページに対応するＵＲＬのドメイン名と、当該Ｗｅｂページに含まれるリンク情報のＵＲＬのドメイン名とを比較し、その比較結果をユーザに通知する。
【００３１】
まず、携帯端末装置１は、ユーザの操作に応じて所定のＵＲＬが入力又は選択されることによる当該ＵＲＬに対応するＷｅｂページの取得指示が入力されたら、指定されたＷｅｂページを取得する。例えば、ＵＲＬが「ｈｔｔｐ：／／ｗｗｗ．ｃｂａ．ｃｏ．ｊｐ」のＷｅｂページを取得する指示が入力されたら、携帯端末装置１は、ブラウザ３６により通信部２６を介して該当するＷｅｂページの情報を取得する。携帯端末装置１は、図３−１に示すように、ブラウザ３６により取得したＷｅｂページを画像として表示部３２（メインディスプレイ２Ｍ）に表示させる。ここで、Ｗｅｂページ６０には、「ｈｔｔｐ：／／ｗｗｗ．ｃｂａ．ｃｏ．ｊｐ」と表示された画像６２と、「メニュー画像へ」と表示されたリンク情報６４と、「その他のサイトへ」と表示されたリンク情報６６とが表示される。また、Ｗｅｂページ６０には、当該Ｗｅｂページに対応するＵＲＬが表示された画像を表示しなくてもよい。例えば、Ｗｅｂページに画像６２の情報がなければ、ＵＲＬを表示させる画像は表示されない。
【００３２】
また、メインディスプレイ２Ｍには、表示方向（文字の上下方向）において、Ｗｅｂページ６０の下側に、アイコン６９ａとアイコン６９ｂが表示されている。なお、アイコン６９ａは、決定キー３ｃに割り付けられた操作を示しており、アイコン６９ｂは、決定キー３ｃの右横の機能キー３ｄに割り付けられた操作を示している。つまり、メインディスプレイ２Ｍに図３−１に示す画像を表示させている状態で、決定キー３ｃを押下すると、主制御部２２は、決定の指示が入力されたと判定する。また、決定キー３ｃの右横の機能キー３ｄが押下されると、主制御部２２は、ブラウザメニューを表示させる指示が入力されたと判定する。
【００３３】
ここで、Ｗｅｂページ６０は、図３−２に示すように、リンク情報６４と、リンク情報６６をＷｅｂページにどのように表示させるかを指示する情報や、リンク情報６４、リンク情報６６が文字情報として記載されたＨＴＭＬ（Hyper  Text  Markup  Language）文書６８を含む。このＨＴＭＬ文書６８には、リンク情報６４を示す文字情報（ＨＴＭＬタグ）６４ａと、リンク情報６６を示す文字情報（ＨＴＭＬタグ）６６ａが含まれている。ここで、文字情報６４ａ、文字情報６６ａには、リンク先のＵＲＬが含まれている。つまり、文字情報６４ａ、文字情報６６ａには、リンク情報が選択され、Ｗｅｂページの取得指示が入力された場合に、取得する対象のＷｅｂページのＵＲＬが記載されている。また、文字情報６４ａ、文字情報６６ａには、Ｗｅｂページ６０でどのように表示させるかを指定する文字情報も含まれている。具体的には、文字情報６４ａには、ＵＲＬ「ｈｔｔｐ：／／ｗｗｗ．ｃｂａ．ｃｏ．ｊｐ／ｍｅｎｕ．ｈｔｍｌ」がリンク先の情報として含まれている。文字情報６６ａには、ＵＲＬ「ｈｔｔｐ：／／ｗｗｗ．ｏｔｈｅｒ．ｃｏ．ｊｐ／」がリンク先の情報として含まれている。
【００３４】
ここで、ＵＲＬは、「ｃｏ．ｊｐ」「．ｃｏｍ」等までを含むドメイン名と、それ以降「スラッシュ、／」で区切られるパス名とが組み合わせられている。また、パス名は、「スラッシュ、／」で区切られた、２つ以上のパス名が連結されている場合もある。なお、ＵＲＬの末尾のパス名は、文末に「スラッシュ、／」が含まれない場合もあるが、この場合は、ＵＲＬの末尾までがパスとなる。
【００３５】
ここで、同一ドメインとは、表示されたＷｅｂページに対応するＵＲＬと、取得するＷｅｂページに対応するＵＲＬの最上位階層の少なくとも一部であって、特定された記号列が同一であることをいう。例えば、Ｗｅｂページの一方のＵＲＬが「ｈｔｔｐ：／／ｗｗｗ．ｘｙｚ．ｃｏ．ｊｐ／ｔｅｎｋｉ／」で、他方のＵＲＬが「ｈｔｔｐ：／／ｗｗｗ．ｘｙｚ．ｃｏ．ｊｐ／ｎｅｗｓ／」である場合は、最上位階層の特定された記号列「ｘｙｚ．ｃｏ．ｊｐ」が同一であるから同一度ドメイン名であると判定する。また、Ｗｅｂページの一方のＵＲＬが「ｈｔｔｐ：／／ｗｗｗ．ｘｙｚ．ｃｏ．ｊｐ／ｔｅｎｋｉ／」で、他方のＵＲＬが「ｈｔｔｐ：／／ｗｗｗ．ｃｂａ．ｃｏ．ｊｐ／ｎｅｗｓ／」の場合は、最上位階層の特定された記号列が「ｘｙｚ．ｃｏ．ｊｐ」と「ｃｂａ．ｃｏ．ｊｐ」とで異なるから、同一のドメインでないと判定する。なお、最上位階層の特定された記号列とは、Ｗｅｂページで共通する「ｈｔｔｐ：／／ｗｗｗ．」の部分を除いた部分の文字列である。
【００３６】
ここで、携帯端末装置１は、図３−１に示すように、Ｗｅｂページ６０を表示させたら、図４−１に示すように、ユーザが選択している位置を示すカーソル７２を表示させる。また、携帯端末装置１は、図４−１に示すように、カーソル７２がリンク情報６４を選択している状態となったら、主制御部２２及びブラウザ３６により、リンク情報６４と現在表示させているＷｅｂページ６０との関係を判定する。ここで、リンク情報６４は、ＨＴＭＬ分文書６８に記載された文字情報６４ａに対応するものであり、ＵＲＬ「ｈｔｔｐ：／／ｗｗｗ．ｃｂａ．ｃｏ．ｊｐ／ｍｅｎｕ．ｈｔｍｌ」がリンク先として設定されている。したがって、リンク情報６４は、Ｗｅｂページ６０とドメイン名が同じＷｅｂページとなる。
【００３７】
主制御部２２は、カーソル７２が選択しているリンク情報６４のドメイン名が、Ｗｅｂページ６０のドメイン名と同一である場合、決定キー３ｃ及びアイコン６９ａを点滅させる。なお、決定キー３ｃの発光の制御は、発光制御部３８により行うことができる。
【００３８】
次に、携帯端末装置１は、図４−２に示すように、カーソル７２ａがリンク情報６６を選択している状態となったら、主制御部２２及びブラウザ３６により、リンク情報６６と現在表示させているＷｅｂページ６０との関係を判定する。ここで、リンク情報６６は、ＨＴＭＬ文書６８に記載された文字情報６６ａに対応するものであり、ＵＲＬ「ｈｔｔｐ：／／ｗｗｗ．ｏｔｈｅｒ．ｃｏ．ｊｐ／」がリンク先として設定されている。したがって、リンク情報６６は、Ｗｅｂページ６０とドメイン名が異なるＷｅｂページとなる。
【００３９】
主制御部２２は、カーソル７２ａが選択しているリンク情報６６のドメイン名が、Ｗｅｂページ６０のドメイン名と異なる場合、決定キー３ｃ及びアイコン６９ａを消灯させる。つまり、主制御部２２は、決定キー３ｃ及びアイコン６９ａが暗く表示された状態とする。
【００４０】
なお、携帯端末装置１は、カーソル７２がリンク情報６４、または、カーソル７２ａがリンク情報６６を選択している状態で、決定キー３ｃが押下されたら、リンク情報６４またはリンク情報６６のリンク先のＷｅｂページの取得指示が入力されたと判定し、ブラウザ３６及び通信部２６により、リンク先のＷｅｂページを取得する。つまり、携帯端末装置１は、カーソル７２でリンク情報６４、または、カーソル７２ａでリンク情報６６が選択されている状態では、リンク先のＷｅｂページの取得は開始せず、決定キー３ｃが押下されたら、つまり、決定操作が入力されてから、新たなＷｅｂページの取得動作を開始する。
【００４１】
以下、図５を用いて、具体的な制御について説明する。ここで、図５は、携帯端末装置の処理動作の一例を示すフロー図である。まず、携帯端末装置１の主制御部２２は、ブラウザ３６を起動させ、ユーザにより操作部２８にＷｅｂページの取得指示の操作が入力されたら、ステップＳ１２としてＷｅｂページを取得する。なお、主制御部２２が取得するＷｅｂページは、ユーザにより指定されたＷｅｂページであり、お気に入りに登録されておりユーザが指定したＵＲＬ、手入力により入力されたＵＲＬ等のＷｅｂページを取得する。
【００４２】
主制御部２２は、ステップＳ１２でＷｅｂページを取得したら、ステップＳ１４として、取得したＷｅｂページに含まれるリンク情報を検出する。具体的には、主制御部２２は、取得したＷｅｂページのＨＴＭＬ文書に含まれるリンク情報を検出する。
【００４３】
主制御部２２は、ステップＳ１４でリンク情報を検出したら、ステップＳ１６として、カーソル位置にリンク情報があるかを判定する。つまり、主制御部２２は、カーソルで選択している部分がリンク情報を含む部分であるかを判定する。
【００４４】
主制御部２２は、ステップＳ１６でリンク情報なし（Ｎｏ）と判定したら、ステップＳ２６に進む。また、主制御部２２は、ステップＳ１６でリンク情報あり（Ｙｅｓ）と判定したら、ステップＳ１８として、ドメイン名が同一であるかを判定する。つまり、主制御部２２は、リンク情報のＵＲＬのドメイン名と、現在表示させているＷｅｂページのドメイン名とを比較し、一致するか否かを判定する。
【００４５】
主制御部２２は、ステップＳ１８でドメイン名が同一である（Ｙｅｓ）と判定したら、ステップＳ２０として決定キーを点滅させる。つまり、主制御部２２は、上述した図４−１のように、決定キー３ｃを点滅させる。また、主制御部２２は、ステップＳ１８でドメイン名が同一ではない（Ｎｏ）、つまり、ドメイン名が異なると判定したら、ステップＳ２２として、決定キーを消灯させる。つまり、主制御部２２は、上述した図４−２のように、決定キー３ｃを消灯させる。
【００４６】
主制御部２２は、ステップＳ２０で決定キーを点滅させたら、または、ステップＳ２２で決定キーを消灯させたら、ステップＳ２４として、決定キーが押下されたかを判定する。つまり、主制御部２２は、カーソルがリンク情報を選択している状態で、決定キーが押下されたかを判定する。主制御部２２は、ステップＳ２４で決定キーが押下された（Ｙｅｓ）と判定したら、ステップＳ１２に進む。つまり、主制御部２２は、決定キーが押下されたら、カーソルが選択しているリンク情報のＷｅｂページを取得することを決定する操作が入力されたと判定して、ステップ１２に進み、リンク情報に含まれるＵＲＬのＷｅｂページを取得する。
【００４７】
また、主制御部２２は、ステップＳ２４で決定キーが押下されていない（Ｎｏ）と判定したら、ステップＳ２６に進む。なお、主制御部２２は、ステップＳ２４で、決定キーが押下されることなく、他の操作が入力されたら、決定キーが押下されていないと判定すればよい。
【００４８】
主制御部２２は、ステップＳ２４、または、ステップＳ１６でＮｏと判定したら、ステップＳ２６として、終了指示があるかを判定する。主制御部２２は、終了指示がない（Ｎｏ）と判定したら、ステップＳ１６に進み、上記処理を繰り返す。なお、主制御部２２は、ステップＳ２６で終了指示以外の指示が入力されたら、終了指示がないと判定すればよい。
【００４９】
主制御部２２は、ステップＳ２６で終了指示あり（Ｙｅｓ）と判定したら、ステップＳ２８として、ブラウザの機能を停止させ、処理を終了する。
【００５０】
携帯端末装置１は、カーソルが選択しているリンク情報のリンク先のＷｅｂページのドメイン名と、現在表示中のＷｅｂページのドメイン名とが同一であるか否かによって、決定キーの発光状態を切り替えること（点滅させるか消灯させる）で、リンク先のＷｅｂページと、現在表示中のＷｅｂページとの関係をユーザに認識させることができる。つまり、リンク先のＷｅｂページを取得した場合、同一のドメイン名のＷｅｂページに移動するのか、異なるドメイン名のＷｅｂページに移動するのかを、移動する前に認識させることができる。これにより、ユーザは、リンク先のＷｅｂページを取得しなくとも、リンク先のＷｅｂページの属性を認識することができ、必要以上にＷｅｂページを取得することを抑制し、所望のＷｅｂページを取得することができる。また、不要なＷｅｂページを取得することを抑制できることで、時間や、情報の取得にかかる費用を節約することができる。
【００５１】
また、携帯端末装置１によれば、同一のドメイン名のＷｅｂページ内のみを移動することができる。つまり、異なるドメイン名のＷｅｂページを取得しないようにすることができる。これにより、リンク情報を利用してＷｅｂページを移動している間に、誤って有害なサイトのＷｅｂページを取得してしまうことを抑制することができる。
【００５２】
また、Ｗｅｂページの取得指示を入力する決定キーを点滅させたり、消灯させたりすることで、リンク先のＷｅｂページの属性を直感的に判断することができる。これにより、操作に慣れていないユーザや、Ｗｅｂページに対する理解が浅いユーザが使用する場合でも、簡単に理解することが可能となる。
【００５３】
なお、上記実施形態では、決定ボタンの点滅と、消灯とを切り替えるようにしたが、決定ボタンの発光の切り替え方は、これに限定されない。例えば、決定ボタンを、常時点灯と、消灯とで切り替えてもよい。また、点灯の方法（高速、低速）を切り替えるようにしても良い。また、決定ボタンを種々の色に発光可能とし、決定ボタンの色を変化させることで、リンク先のＷｅｂページの属性を通知するようにしてもよい。
【００５４】
また、上記実施形態では、ステップＳ１４でリンク情報を検出したが、Ｗｅｂページを取得した際に、リンク情報を事前に検出する必要はなく、カーソルで選択している領域にリンク情報が含まれていると判定してから、リンク情報が特定リンク情報であるか否かを検出する等、各種処理を行うようにしてもよい。
【００５５】
また、上記実施形態では、ＷｅｂページのＵＲＬのドメイン名が同一であるかに基づいて、決定キーの発光状態を切り替えたが、ＵＲＬのドメイン名が一致する場合は、さらにＵＲＬのパスが一致するかによって、決定キーの発光状態を切り替えるようにしてもよい。以下、図６、図７−１及び図７−２を用いて説明する。ここで、図６は、携帯端末装置の処理動作の他の例を示すフロー図である。また、図７−１及び図７−２は、携帯端末装置の動作を説明するための説明図である。なお、図６に示すフロー図は、図５に示すフロー図のステップＳ２０の処理の変形例であり、ステップＳ２０の前後の処理は、図５に示すフロー図の処理と同様である。また、図７−１は、メインディスプレイ２Ｍに表示する画像の一例を示しており、図７−２は、図７−１に示す画像のＨＴＭＬ文書を示している。
【００５６】
携帯端末装置１の主制御部２２は、リンク情報のＵＲＬのドメイン名と、現在表示させているＷｅｂページのドメイン名が一致すると判定したら、ステップＳ４０として、第１パスが一致するかを判定する。ここで、第１パスとは、ＵＲＬにおいて、ドメイン名の末尾にある「スラッシュ、／」から、次の「スラッシュ、／」（ＵＲＬの末尾のパス名で「／」がない場合はＵＲＬの末尾まで）までの文字列である。主制御部２２は、ステップＳ４０で第１パスが一致しない（Ｎｏ）と判定したら、ステップＳ４２として、決定キーを赤色で発光させて、処理を終了する。なお、主制御部２２は、一方のＵＲＬに第１パスがあり、他方のＵＲＬに第１パスがない場合は、第１パスが一致しないと判定する。
【００５７】
次に、主制御部２２は、ステップＳ４０で第１パスが一致する（Ｙｅｓ）と判定したら、ステップＳ４４として、第２パスが一致するかを判定する。ここで、第２パスとは、ＵＲＬにおいて、第１パスの末尾にある「スラッシュ、／」から、次の「スラッシュ、／」まで（ＵＲＬの末尾のパス名で「／」がない場合はＵＲＬの末尾まで）の文字列である。つまり、第２パスは、第１パスの次のパスである。主制御部２２は、ステップＳ４４で第２パスが一致しない（Ｎｏ）と判定したら、ステップＳ４６として、決定キーを黄色で発光させて、処理を終了する。なお、主制御部２２は、一方のＵＲＬに第２パスがあり、他方のＵＲＬに第２パスがない場合は、第２パスが一致しないと判定する。
【００５８】
また、主制御部２２は、ステップＳ４４で第２パスが一致する（Ｙｅｓ）と判定したら、ステップＳ４８として、決定キーを青色に発光させて、処理を終了する。
【００５９】
例えば、携帯端末装置１は、図７−１に示すようにメインディスプレイ２Ｍに、Ｗｅｂページ８０を表示させている。このＷｅｂページ８０には、Ｗｅｂページ８０のＵＲＬを示す画像８２と、リンク情報８４と、リンク情報８６と、リンク情報８８とが含まれている。なお、画像８２には、Ｗｅｂページ８０のＵＲＬ「ｈｔｔｐ：／／ｗｗｗ．ｃｂａ．ｃｏ．ｊｐ／ｍｅｎｕ」が表示されている。また、Ｗｅｂページ８０には、当該Ｗｅｂページに対応するＵＲＬが表示された画像を表示しなくてもよい。また、メインディスプレイ２Ｍには、上述と同様に、カーソル９０と、アイコン９２とアイコン９４とが表示されている。また、図７−１に示す状態では、カーソル９０は、リンク情報８４が選択されている。
【００６０】
また、図７−１に示すＷｅｂページ８０は、図７−２に示すＨＴＭＬ文書９６を備える。ＨＴＭＬ文書９６には、リンク情報８４を示す文字情報８４ａと、リンク情報８６を示す文字情報８６ａが含まれている。ここで、文字情報８４ａ、文字情報８６ａには、リンク先のＵＲＬが含まれている。具体的には、文字情報８４ａには、ＵＲＬ「ｈｔｔｐ：／／ｗｗｗ．ｃｂａ．ｃｏ．ｊｐ／ｍｅｎｕ／ｍｕｓｉｃ」がリンク先の情報として含まれている。また、文字情報８４ａには、ＵＲＬ「ｈｔｔｐ：／／ｗｗｗ．ｃｂａ．ｃｏ．ｊｐ／ｍｅｎｕ／ｓｐｏｒｔｓ」がリンク先の情報として含まれている。また、図示は省略したが、ＨＴＭＬ文書９６は、リンク情報８８に対応する文字情報も含まれている。
【００６１】
携帯端末装置１は、図７−１に示す状態の場合、カーソル９０が選択しているリンク情報８４は、ＵＲＬの第１パスが「ｍｅｎｕ」で一致し、第２パスは、Ｗｅｂページ８０のＵＲＬがないため、不一致となる。これにより、携帯端末装置１は、決定キー３ｃを黄色に発光する。また、決定キー３ｃに対応するアイコン９２も黄色に発光される。
【００６２】
このように、ＵＲＬのドメイン名に加え、パス名にも基づいて決定キーの表示状態を切り替えることで、同一ドメイン名内での移動である場合も、カテゴリーを移動するか否かを知ることができる。これにより、リンク先のＷｅｂページと現在閲覧しているＷｅｂページとの関連度をより詳細に把握することができ、ユーザは、必要なＷｅｂページをより的確に取得することが可能となる。
【００６３】
また、上記実施形態では、決定キーの発光状態を切り替えて、ユーザにリンク先のＷｅｂページの属性を通知するようにしたが、これに限定されない。例えば、決定キーを発光させずに、メインディスプレイに表示されているアイコンの表示のみを切り替えるようにしてもよい。また、カーソルで、リンク情報が選択されたら、吹出し（ポップアップ画像等）として、リンク先のＷｅｂページの属性を表示させるようにしてもよい。また、音声で出力してもよい。
【００６４】
また、上記実施形態では、カーソルにより選択されているリンク情報のＵＲＬと、現在表示させているＷｅｂページのＵＲＬとを比較するようにしたが、比較の対象は、カーソルにより選択されているリンク情報に限定されない。例えば、取得したＷｅｂページのうち、メインディスプレイに表示されている領域内に含まれるリンク情報のそれぞれと、現在表示させているＷｅｂページのＵＲＬとを比較し、その比較結果に基づいて、ディスプレイ上にメッセージを表示させたり、決定キーや機能キーの発光状態を変化させたりしてもよい。また、メインディスプレイに表示されていなくとも取得したＷｅｂページに含まれる全てのリンク情報のそれぞれと、現在表示させているＷｅｂページのＵＲＬとを比較し、その比較結果に基づいて、ディスプレイ上にメッセージを表示させたり、決定キーや機能キーの発光状態を変化させたりしてもよい。このように、ユーザに対して、カーソルで選択していないリンク情報の情報も予め提供することで、ユーザは、実際にカーソルで選択しなくとも、Ｗｅｂページに表示されているリンク情報について、知ることができる。これにより、カーソル移動も最小限にすることができ、より短時間でリンク情報を選択することが可能となる。
【００６５】
なお、携帯端末装置１は、上述した制御を組み合わせるようにしてもよい。例えば、Ｗｅｂページのうち、メインディスプレイに表示されている領域内に含まれるリンク情報のそれぞれと、現在表示させているＷｅｂページのＵＲＬとの関係をメインディスプレイ上に表示し、さらに、カーソルが選択したリンク情報と、現在表示させているＷｅｂページのＵＲＬとの関係は、決定キーの発光状態を切り替えるようにしてもよい。
【００６６】
また、上記実施形態では、ＨＴＭＬ文書のＨＴＭＬタグからリンク先のＵＲＬを取得したが、リンク先のＵＲＬの取得方法はこれに限定されない。例えば、リンク情報がＦＬＡＳＨ（登録商標）に対応付けられている場合は、インターフェイスを介してＦＬＡＳＨ（登録商標）内のデータを解析してＵＲＬの情報を取得すればよい。これにより、リンク先のＷｅｂページの情報を取得しなくとも、Ｗｅｂページの属性を把握することができる。
【産業上の利用可能性】
【００６７】
以上のように、本発明にかかる通信端末及び通信端末の制御方法は、Ｗｅｂページの情報を取得し表示させるブラウザ機能を有する装置、及びその装置の制御方法として用いることに有用である。
【符号の説明】
【００６８】
１  携帯端末装置
１Ｃ  筐体
１ＣＡ  第１筐体
１ＣＢ  第２筐体
２Ｍ  メインディスプレイ
３ａ  数字キー
３ｂ  方向キー
３ｃ  決定キー
３ｄ  機能キー
５  マイク
６  レシーバ
１８  ヒンジ
２２  主制御部（ＣＰＵ）
２４  記憶部（メモリ）
２６  通信部
２８  操作部
２９  入力データ取得部
３０  音声処理部
３２  表示部
３３  表示制御部
３６  ブラウザ
３８  発光制御部
【図１】
2011193280.tif 000003
【図２】
2011193280.tif 000004
【図３−１】
2011193280.tif 000005
【図３−２】
2011193280.tif 000006
【図４−１】
2011193280.tif 000007
【図４−２】
2011193280.tif 000008
【図５】
2011193280.tif 000009
【図６】
2011193280.tif 000010
【図７−１】
2011193280.tif 000011
【図７−２】
2011193280.tif 000012